(57)【要約】【課題】吸上量のバラツキを低減したネジキャップ付容器を提供すること。【解決手段】容器本体１１と、ネジキャップ１２と、ネジキャップ１２に保持されて内容物を貯留可能な有底筒状をなし、容器本体１１内と連通する吸上口４５ａが形成されたシリンダ底部４５を有する貯留部材１３と、貯留部材１３を容器本体１１に向けて付勢するスプリング１４と、容器本体１１が、容器本体１１に保持されて貯留部材１３を収容可能な有底筒状をなし、スプリング１４による付勢力によってシリンダ底部４５が突き当てられた状態で流通口２７ａが形成された中栓底部２７を有する中栓部２４と、を備え、貯留部材１３が、ネジキャップ１２の内周面に容器本体１１の軸線Ｏ方向に沿って摺動自在に嵌合される環状のピストン部４２を有し、シリンダ底部４５が、ネジキャップ１２の開放端よりも軸線Ｏ方向外側に突出している。【選択図】図１
2009208780.tif 000002
【特許請求の範囲】
【請求項１】
内容物が収容される容器本体と、
該容器本体に着脱自在に螺着されるネジキャップと、
前記ネジキャップに保持されて前記内容物を貯留可能な有底筒状をなし、前記容器本体内と連通する吸上口が形成された貯留底部を有する貯留部材と、
該貯留部材を前記容器本体に向けて付勢する付勢部材と、
前記容器本体が、前記容器本体に保持されて前記貯留部材を収容可能な有底筒状をなし、前記付勢部材による付勢力によって前記貯留底部が突き当てられた状態で前記容器本体内と前記貯留部材内とを連通する流通口が形成された中栓底部を有する中栓部と、を備え、
前記貯留部材が、前記ネジキャップの内周面に前記容器本体の軸線方向に沿って摺動自在に嵌合される環状のピストン部を有し、
前記貯留底部が、前記ネジキャップの開放端よりも前記軸線方向外側に突出していることを特徴とする請求項１に記載のネジキャップ付容器。
【請求項２】
前記中栓部が、前記流通口の周縁部から前記軸線方向の外側に向けて突出する突出筒部を有し、
該突出筒部の内面には、弁座と、該弁座よりも前記流通口側に配置されたストッパ凸部とが突設され、
前記突出筒部内において、前記弁座と前記ストッパ凸部との間に弁体が配設されていることを特徴とする請求項１に記載のネジキャップ付容器。
【発明の詳細な説明】
【技術分野】
【０００１】
本発明は、例えばネジキャップ付容器に関するものである。
【背景技術】
【０００２】
容器本体内に収容されている内容物を外部に取り出す容器として、スポイト付容器が提案されている（例えば、特許文献１参照）。このスポイト付容器は、容器本体と、容器本体の口部に着脱自在に装着されたスポイト付キャップとを備えている。そして、スポイト付キャップに設けられて合成樹脂など形成された弾性ドームを指などで摘み、弾性ドームが弾性復帰する際にスポイト内を負圧にすることで、容器本体内の内容物がスポイト内に吸い上げられる。
【特許文献１】実開平３−９３４５６号公報
【発明の開示】
【発明が解決しようとする課題】
【０００３】
しかしながら、上記従来のスポイト付容器においても、以下の課題が残されている。すなわち、弾性ドームを摘む際の力によってスポイト本体内への内容物の吸上量にバラツキが発生するという問題がある。
【０００４】
本発明は、前述の課題に鑑みてなされたもので、吸上量のバラツキを低減したネジキャップ付容器を提供することを目的とする。
【課題を解決するための手段】
【０００５】
本発明は、上記のような課題を解決するために以下のような手段を採用した。すなわち、本発明のネジキャップ付容器は、内容物が収容される容器本体と、該容器本体に着脱自在に螺着されるネジキャップと、前記ネジキャップに保持されて前記内容物を貯留可能な有底筒状をなし、前記容器本体内と連通する吸上口が形成された貯留底部を有する貯留部材と、該貯留部材を前記容器本体に向けて付勢する付勢部材と、前記容器本体が、前記容器本体に保持されて前記貯留部材を収容可能な有底筒状をなし、前記付勢部材による付勢力によって前記貯留底部が突き当てられた状態で前記容器本体内と前記貯留部材内とを連通する流通口が形成された中栓底部を有する中栓部と、を備え、前記貯留部材が、前記ネジキャップの内周面に前記容器本体の軸線方向に沿って摺動自在に嵌合される環状のピストン部を有し、前記貯留底部が、前記ネジキャップの開放端よりも前記軸線方向外側に突出していることを特徴とする。
【０００６】
この発明によれば、ネジキャップの螺合解除に伴ってピストン部材がネジキャップの内面に摺接しつつ容器本体側に向けて移動させることで、内容物の吸い上げを行うため、貯留部材内への内容物の吸上量のバラツキが低減される。すなわち、ネジキャップの螺合を解除していくと、ピストン部材がネジキャップの内面に摺接しつつ、貯留部材が付勢部材によりネジキャップに対して容器本体側に向けて移動させられるため、貯留部材内が負圧となる。そして、容器本体内の内容物が流通口及び吸上口を通って貯留部材内に吸い上げられる。そのため、従来のように弾性ドームを掴む際の力のバラツキに起因した吸上量のバラツキがなくなって貯留部材内の吸上量が安定する。
また、ネジキャップを容器本体から取り外した状態において、貯留底部をネジキャップに向けて押圧すると、貯留部材内が正圧となる。このため、貯留部材内に貯留された内容物は、吸上口から外方に取り出される。このとき、貯留底部がネジキャップの下端よりも下方に向けて突出しているため、貯留底部を容易にネジキャップに向けて押圧することができる。
【０００７】
また、本発明のネジキャップ付容器は、前記中栓部が、前記流通口の周縁部から前記軸線方向の外側に向けて突出する突出筒部を有し、該突出筒部の内面には、弁座と、該弁座よりも前記流通口側に配置されたストッパ凸部とが突設され、前記突出筒部内において、前記弁座と前記ストッパ凸部との間に弁体が配設されていることが好ましい。
この発明では、弁体により弁座を閉鎖することで、内容物が不用意に吸い上げられにくくなる。すなわち、弁体が突出筒部の内側においてストッパ凸部と弁座の上端との間で移動可能であることで、ネジキャップを螺合した状態において、弁体は弁座の開口端を閉鎖する。これにより、内容物が貯留部材内に貯留されにくくなる。そして、ネジキャップの螺合解除に伴って貯留部材内が負圧となることで、弁体が突出筒部の内側においてストッパ凸部に向けて移動するため、弁体による弁座の開口端の閉鎖状態が解除される。このため、容器本体内の内容物が流通口及び吸上口を介して貯留部材内に吸い上げられる。
【発明の効果】
【０００８】
この発明にかかるネジキャップ付容器によれば、ネジキャップの螺合解除に伴って貯留部材内を負圧とすることで内容物の吸い上げを行うため、貯留部材内の吸上量が安定する。
【発明を実施するための最良の形態】
【０００９】
以下、本発明によるネジキャップ付容器の第１の実施形態を、図面に基づいて説明する。なお、以下の説明に用いる各図面では、各部材を認識可能な大きさとするために縮尺を適宜変更している。
【００１０】
本実施形態におけるネジキャップ付容器１は、図１から図３に示すように、容器本体１１と、容器本体１１に着脱可能に螺着されるネジキャップ１２と、貯留部材１３と、スプリング（付勢部材）１４とを備えている。
【００１１】
容器本体１１は、胴部２１、肩部２２、口部２３及び中栓部２４を備えており、これら胴部２１、肩部２２、口部２３及び中栓部２４がそれぞれの中心軸線を共通軸線上に位置させられた状態でこの順に連設された概略構成となっている。以下、この共通軸線を軸線Ｏとし、また、軸線Ｏに沿う口部２３側を上側、胴部２１側を下側とする。
胴部２１は、軸線Ｏに沿って延びるほぼ有底円筒状をなしている。
肩部２２は、胴部２１の上端と連続して形成されており、その径が胴部２１の上端から容器本体１１の軸線Ｏに沿って上方に向かうにしたがって漸次縮径している。
口部２３は、肩部２２の内周縁と連続して形成され、肩部２２の内周縁から上方に向けて延びるほぼ円筒状をなしている。また、口部２３の外周面には、ネジキャップ１２を着脱自在に螺合可能な雄ネジ部２３Ａが形成されている。
【００１２】
中栓部２４は、口部２３に被着されており、天面部２５と筒状部２６と中栓底部２７と突出筒部２８とを備えている。
天面部２５は、ほぼ円環状をなしており、外径が口部２３の外径とほぼ同等となっている。また、天面部２５の下面には、外縁部から下方に向けて垂下する一対の挟持部２５ａ、２５ｂが径方向で離間して設けられている。中栓部２４は、この一対の挟持部２５ａ、２５ｂが口部２３の上部を挟持する。これにより、中栓部２４は、容器本体１１に被着される。
筒状部２６は、ほぼ円筒状をなしており、天面部２５の内周縁から下方に向けて垂下して形成されている。
【００１３】
中栓底部２７は、ほぼ円椀状をなしており、筒状部２６の下端縁から下方に向けて連続して形成されている。また、中栓底部２７の下端部の中央には、容器本体１１の内部と連通する流通口２７ａが形成されている。そして、中栓底部２７の上端部には、複数のエア置換孔部２７ｂが周方向に沿って間隔をあけて形成されている。
突出筒部２８は、ほぼ円筒状をなしており、中栓底部２７の流通口２７ａの周縁部から垂下して形成されている。
【００１４】
ネジキャップ１２は、天板部３１と側面部３２とを備えている。
天板部３１は、ほぼ円形をなしている。また、天板部３１の下面には、垂下筒部３３が形成されている。
垂下筒部３３は、ほぼ円筒状をなしており、後述するシリンダ本体部４４内と間隙をあけて垂設されている。
【００１５】
側面部３２は、天板部３１の外周縁から下方に向けて連続して形成されており、上段部３４と下段部３５とを有している。
上段部３４は、ほぼ円筒状をなしており、天板部３１の外周縁から下方に向けて連続して形成されている。
下段部３５は、ほぼ円筒状をなしており、上段部３４の下端に連続して形成された段差部３６の外周縁と連続して形成されている。また、下段部３５の内周面には、雄ネジ部２３Ａと螺合する雌ネジ部３５Ａが形成されている。
【００１６】
また、側面部３２の内側には、案内栓３７が配置されている。
案内栓３７は、フランジ部３８と案内筒部３９とを備えている。
フランジ部３８は、ほぼ円環状をなしており、段差部３６の下面と当接し、下段部３５の内周面と係合している。また、フランジ部３８の内周縁端部は、段差部３６よりも周方向内方に突出している。そして、フランジ部３８において段差部３６よりも周方向内方に突出した部分の上面には、軸線Ｏ方向上方に向けて突出する補助ストッパ３８Ａが設けられている。この補助ストッパ３８Ａは、その突出量が後述する周壁部４７における接続部４６に対する軸線Ｏ方向下方の突出量と同等となっており、接続部４６の下面と当接可能となっている。
【００１７】
案内筒部３９は、ほぼ円筒状をなしており、フランジ部３８の内周縁と連続して形成されている。また、案内筒部３９の外径は、中栓部２４の筒状部２６の内径とほぼ同等となっている。そして、案内筒部３９の内径は、後述するシリンダ本体部４４の外径とほぼ同等となっている。
【００１８】
貯留部材１３は、シリンダ部４１とピストン部４２とを備えており、内部が内容物を貯留する貯留室４３となっている。
シリンダ部４１は、上端開口部が形成されたほぼ有底円筒状をなし、案内筒部３９の内周面において案内筒部３９に沿って軸線Ｏに沿って上下に摺動可能となっており、シリンダ本体部４４とシリンダ底部（貯留底部）４５とを備えている。
シリンダ本体部４４は、ほぼ円筒状をなしている。また、シリンダ本体部４４は、軸線Ｏに沿って上下方向に移動可能である。
【００１９】
シリンダ底部４５は、ほぼ円椀状をなしており、シリンダ本体部４４の下端縁から下方に向けて連続して形成されている。そして、シリンダ底部４５の下端部の中央には、流通口２７ａを介して容器本体１１の内部と連通する吸上口４５ａが形成されている。この吸上口４５ａの径は、貯留室４３内に内容物を貯留した状態であって貯留室４３の内圧を変化させない状態（図３参照）において、内容物の表面張力により内容物が吸上口４５ａから漏洩しない程度となっている。
【００２０】
また、シリンダ底部４５の外周面の形状は、中栓部２４の中栓底部２７の外周面と一致する。ここで、シリンダ部４１がスプリング１４によってネジキャップ１２に対して軸線Ｏ方向下方に向けて付勢されているため、ネジキャップ１２を容器本体１１に取り付けている状態においてシリンダ底部４５は、中栓底部２７と密接する。
そして、シリンダ部４１の下端部は、スプリング１４によってネジキャップ１２に対して軸線Ｏ方向下方に向けて付勢されているため、ネジキャップ１２を容器本体１１から取り外した際に、側面部３２の下端から下方に向けて突出する。
【００２１】
ピストン部４２は、シリンダ部４１の上端に連続して径方向外方に向けて突設されており、シリンダ部４１の全周にわたって形成されている。そして、ピストン部４２は、接続部４６と周壁部４７とを備えている。
接続部４６は、シリンダ部４１の上端に連続して形成されており、シリンダ部４１から径方向外方に向けて突出している。
周壁部４７は、ほぼリング状をなしており、接続部４６の外周縁に連続して形成されている。また、周壁部４７の外径は、ネジキャップ１２の上段部３４の内径とほぼ同等となっている。これにより、周壁部４７は、上段部３４の内周面に沿って上段部３４の内周面に摺接しながら、軸線Ｏに沿って上下方向に移動可能となる。このため、貯留室４３は、シリンダ部４１が軸線Ｏに沿って上下に移動することで、内圧が変化する。
また、貯留部材１３は、接続部４６が案内栓３７により支持されることで、ネジキャップ１２と離脱不能に保持されている。
【００２２】
スプリング１４は、天板部３１の下面とシリンダ本体部４４の上端との間に配置されている。そして、スプリング１４は、貯留部材１３をネジキャップ１２に対して軸線Ｏに沿って離間する方向であって容器本体１１に向けて付勢している。
パイプ５０は、一端部が突出筒部２８に嵌め込まれ、他端部が容器本体１１の底部近傍に配置されている。
【００２３】
次に、以上のような構成のネジキャップ付容器１による内容物の吸い上げ方法について説明する。容器本体１１にネジキャップ１２を螺着した状態において、スプリング１４は、シリンダ部４１を中栓底部２７に向けて付勢するため、シリンダ部４１のシリンダ底部４５が中栓底部２７に突き当てられる。また、貯留部材１３は、中栓部２４内に収容されている。このとき、シリンダ底部４５の下面が中栓底部２７の上面と密接に当接しており、ピストン部４２の外周面がネジキャップ１２の上段部３４の内周面と摺接するため、貯留室４３が密閉状態となっている（図１参照）。
【００２４】
この状態で、容器本体１１に螺着されているネジキャップ１２を軸線Ｏ回りで回転させて螺合解除していくと、ネジキャップ１２は、容器本体１１に対して相対的に軸線Ｏに沿って上方に移動する。このとき、ピストン部４２は、上段部３４の内周面に沿って軸線Ｏ方向でネジキャップ１２と相対的に下方に向けて摺動する。なお、シリンダ部４１がスプリング１４により中栓底部２７に向けて付勢されているため、シリンダ底部４５と中栓底部２７との当接状態が維持される。このため、貯留室４３が負圧となる（図２参照）。
【００２５】
これにより、パイプ５０と流通口２７ａ及び吸上口４５ａとを介して貯留室４３内に容器本体１１内の内容物が移動し、内容物が貯留室４３内に貯留される。なお、シリンダ底部４５と中栓底部２７とが当接しているため、流通口２７ａを介して中栓底部２７内に内容物が貯留されにくくなっている。
このままネジキャップ１２の螺合解除を継続すると、シリンダ底部４５と中栓底部２７との当接状態が維持されており、シリンダ部４１の内側が負圧となるため、貯留室４３内に内容物が順次吸い上げられていく。
【００２６】
ここで、ネジキャップ１２の螺合を解除していくことによってピストン部４２の周壁部４７が軸線Ｏ方向で下方に向けて上段部３４の内周面を摺動していくが、接続部４６の下面が補助ストッパ３８Ａの上端と当接、支持される。このため、周壁部４７において接続部４６よりも下方に突出する部分がスプリング１４による付勢力によってフランジ部３８に押し付けられて変形することが防止される。また、周壁部４７が上段部３４の内周面と摺動しており、貯留部材１３が上段部３４の内周面で支持されるため、ネジキャップ１２と貯留部材１３との軸線Ｏに沿った相対移動が安定する。
【００２７】
その後、ネジキャップ１２の回転を続けることにより、ネジキャップ１２と容器本体１１との螺合が完全に解除されてネジキャップ１２が取り外される（図３参照）。このとき、エア置換孔部２７ｂを介して空気が容器本体１１内に流入するため、容器本体１１内が大気圧に戻される。また、エア置換孔部２７ｂは、中栓底部２７内の内容物を容器本体１１に戻す液戻し穴としても機能する。なお、貯留室４３内に収容された内容物は、内容物の表面張力などにより外部に漏洩しない。
そして、ネジキャップ１２に向けてシリンダ底部４５を押圧してシリンダ部４１をネジキャップ１２に対して相対的に軸線Ｏ方向上方に向けて移動させると、貯留室４３の内圧が増大する。これにより、貯留室４３内の内容物が吸上口４５ａを介して外部に流出する。ここで、シリンダ底部４５がネジキャップ１２の開放端よりも軸線Ｏ方向で下方に突出しているため、シリンダ部４１をネジキャップ１２に向けて容易に押圧することができる。このため、貯留室４３内の内容物を容易に取り出せる。
【００２８】
このような構成のネジキャップ付容器１によれば、ネジキャップ１２の螺合解除に伴って貯留室４３内を負圧とすることで内容物の吸い上げを行うため、貯留室４３内の吸上量が安定する。
ここで、シリンダ底部４５がネジキャップ１２の下端よりも下方に向けて突出しているため、シリンダ底部４５を容易にネジキャップ１２に向けて押圧することができ、貯留室４３内に吸い上げられた内容物を容易に取り出すことができる。
【００２９】
次に、本発明におけるボトルの第２の実施形態について説明する。なお、ここで説明する実施形態は、その基本的構成が上述した第１の実施形態と同様であり、上述の第１の実施形態に別の要素を付加したものである。したがって、図４においては、図１から図３と同一構成要素に同一符号を付し、この説明を省略する。
【００３０】
本実施形態におけるネジキャップ付容器１００は、図４に示すように、中栓部１０１が天面部２５と筒状部２６と中栓底部２７と突出筒部１０２とを備えている。
突出筒部１０２には、流通口２７ａよりも下方に離間して配置された弁座１０３と、弁座１０３よりも流通口２７ａ側に配置されたストッパ凸部１０４とが設けられている。
弁座１０３は、径方向内方に向けて突出して形成されている。
ストッパ凸部１０４は、ほぼ半球状をなし、突出筒部１０２の内周面において周方向に間隔をあけて複数配置されている。
【００３１】
また、突出筒部１０２の内側において弁座１０３とストッパ凸部１０４との間には、ほぼ球状のボール部材（弁体）１０５が配置されている。ボール部材１０５は、その径が突出筒部１０２の内径よりも小さく弁座１０３の内径よりも大きくなっており、突出筒部１０２の内側においてストッパ凸部１０４と弁座１０３との間を移動可能となっている。
【００３２】
以上のような構成のネジキャップ付容器１００では、ネジキャップ１２を螺合した状態において、ボール部材１０５は、弁座１０３の上端開口部を閉鎖している。このため、内容物が貯留室４３内に貯留されない。
そして、ネジキャップ１２の螺合を解除していくと、上述と同様に貯留室４３内が負圧となるため、ボール部材１０５は、突出筒部１０２の内部を軸線Ｏ方向上方に向けて移動し、ストッパ凸部１０４により係止される。これにより、ボール部材１０５による弁座１０３の閉鎖状態が解除され、容器本体１１内の内容物が流通口２７ａ及び吸上口４５ａを介して貯留室４３内に貯留される。
【００３３】
このような構成のネジキャップ付容器１００によれば、上述した第１の実施形態と同様の作用、効果を奏するが、内容物が不用意に貯留室４３内により貯留されにくくなる。
【００３４】
なお、本発明は上記実施形態に限定されるものではなく、本発明の趣旨を逸脱しない範囲において種々の変更を加えることができる。
例えば、パイプと中栓部とは、別部材となっているが、一体的に形成されてもよい。このとき、パイプが直線状に形成される場合には、容器本体の底部にパイプの端部を配置するための凹部を設ける。
また、スプリングは、ネジキャップ及び貯留部材を直接付勢しているが、何らかの部材を介して間接的にネジキャップ及び貯留部材を付勢してもよい。さらに、付勢部材は、ネジキャップ及び貯留部材を付勢できれば、スプリングに限られない。
【産業上の利用可能性】
【００３５】
この発明によれば、吸上量のバラツキを低減したネジキャップ付容器に関して、産業上の利用可能性が認められる。
【図面の簡単な説明】
【００３６】
【図１】本発明の第１の実施形態におけるネジキャップ付容器を示す部分断面図である。
【図２】同じく、ネジキャップ付容器を示す部分断面図である。
【図３】同じく、ネジキャップ付容器を示す部分断面図である。
【図４】本発明の第２の実施形態におけるネジキャップ付容器を示す部分拡大断面図である。
【符号の説明】
【００３７】
１，１００  ネジキャップ付容器
１１  容器本体
１２  ネジキャップ
１３  貯留部材
１４  スプリング（付勢部材）
２４，１０１  中栓部
２７  中栓底部
２７ａ  流通口
２８，１０２  突出筒部
４２  ピストン部
４５  シリンダ底部（貯留底部）
４５ａ  吸上口
１０３  弁座
１０４  ストッパ凸部
１０５  ボール部材（弁体）
【図１】
2009208780.tif 000003
【図２】
2009208780.tif 000004
【図３】
2009208780.tif 000005
【図４】
2009208780.tif 000006